(57)【要約】【課題】接続すべき不安定な相手材に対し確実に掛止させておくことができる接続クリップの提供。【解決手段】先端側には開閉方向への弾性変形が自在な一対の掛止爪片１８，１８を、基端側には適宜のケーブル側と接続される端子部３７を備える端子用金具材１３と、基端部３７の側に装着される圧縮コイルスプリング３０を介装させた押動操作材４３とからなる接続側本体１２と、筒状体５３の基端開口部６１からその後端部４５を突出させて配置される押動操作材４３の非操作時には、圧縮コイルスプリング３０の付勢力により掛止爪片１８，１８が自動的に先端開口部５５内に引き込まれ、後端部４５の押圧操作時には、付勢力に抗して先端開口部５５から掛止爪片１８，１８が押し出されるように配置される接続側本体１２を、その抜脱を困難に保持する保持側本体５２とで形成した。【選択図】図１
2004207099.tif 000002
【特許請求の範囲】
【請求項１】
先端側には開閉方向への弾性変形が自在な一対の掛止爪片を、基端側には測定器から引き出されたケーブル側と接続される端子部を備える導電性の端子用金具材と、前記基端部の側に装着される圧縮コイルスプリングを介装させた絶縁性の押動操作材とからなる接続側本体と、
先端開口部と基端開口部とを有する筒状体からなり、前記基端開口部からその後端部を突出させて配置される前記押動操作材の非操作時には、前記圧縮コイルスプリングの付勢力により前記掛止爪片が自動的に前記先端開口部内に引き込まれ、前記後端部の押圧操作時には、前記付勢力に抗して前記先端開口部から前記掛止爪片が押し出されるように挿入配置される前記接続側本体を、その抜脱を困難に保持する絶縁性の保持側本体とで形成したことを特徴とする接続クリップ。
【請求項２】
前記端子用金具材は、略方形を呈する基底部のいずれか一方の対向二辺から所定長さの一対の板バネ部を立設して先端側を各別に内折りした前記掛止爪片を有する咬持片部と、該咬持片部内に配置される固定金具部と、前記端子部を備えて前記固定金具部の底部側と前記基底部を介して一体的に連結される端子金具部とで形成し、
前記押動操作材は、前記圧縮コイルスプリングの一端側が掛止される段部を基端部に設けて保持側本体の前記基端開口部側から挿入される筒状本体部と、該筒状本体部の基端側に設けられた前記基端開口部よりも大径なフランジ部とで形成し、
前記保持側本体は、少なくとも前記基端開口部側にフランジ部を設けるとともに、前記掛止爪片が押し出された際に拡開方向への弾性変形を自在とする内部空間を前記先端開口部内に確保させて形成した請求項１に記載の接続クリップ。
【請求項３】
前記咬持片部は、その基底部の残余の対向二辺から板バネ部より短寸なストッパーを立設して先端側を各別に外折りした掛止片を備え、
前記保持側本体は、前記押動操作材の非操作時に前記掛止片と掛合する配置関係のもとでその内側面に配設された突起部を備える請求項２に記載の接続クリップ。
【発明の詳細な説明】
【０００１】
【発明の属する技術分野】
本発明は、測定器を用いて例えばブレーカーの電圧を常時監視しようとする際などに、コード結線用ネジのネジ頭などの接続部位に確実に接続させておくことができる接続クリップに関する技術である。
【０００２】
【従来の技術】
図８は、従来から用いられている電圧検出用クリップのうち、鰐口クリップと称されている汎用タイプの電圧検出用クリップの一例を示す全体斜視図である。
【０００３】
同図によれば、電圧検出用クリップ１の全体は、基端連結部２ｂに接続コード５が直結された固定側クリップ片２と、該固定側クリップ片２に対し支軸部３を介して開閉自在に軸支された操作側クリップ片４とで形成されており、図示しないねじりコイルバネを支軸部３に介装させることにより、固定側クリップ片２の先端部２ａに対し操作側クリップ片４の先端部４ａが圧接するように付勢されている。
【０００４】
このため、該電圧検出用クリップ１を用いる場合には、操作側クリップ片４の基端操作部４ｂをその付勢力に抗して押し下げてその先端部４ａを開いた状態で被測定部位に配置し、基端操作部４ｂへの押圧力を解除することにより、固定側クリップ片２の先端部２ａと操作側クリップ片４の先端部４ａとで適宜の被測定部位を咬持するように掛止させて電圧を検出することができることになる。
【０００５】
一方、接続クリップには、ブレーカーなどが備える端子台に配設されているコード結線用ネジのネジ頭に安定した状態で接続させることができるようにしたものもある（例えば、特許文献１参照）。
【０００６】
【特許文献１】特開２００２−１６４０９９号公報（段落番号「００２０」〜「００２４」、図１）
【０００７】
【発明が解決しようとする課題】
しかし、ブレーカーが備えるコード結線用ネジのネジ頭などのように接続ポイントが不安定な構造となっている被測定部位に対しては、図８に示す電圧検出用クリップ１によっては安定した掛止状態を確保することができず、その測定時に外れやすいという不都合があった。
【０００８】
また、特許文献１に開示されている接続クリップによる場合には、その一側クリップ片と他側クリップ片とが常に開方向に付勢された状態で配設されていることから、これらを一対の隔壁の内側面に当接させた状態でブレーカーが備えるコード結線用ネジのネジ頭に接触させる必要があり、該ネジ頭の左右側に一対の隔壁がないタイプのものには適用することができないという不具合があった。
【０００９】
本発明は、従来技術にみられた上記課題に鑑み、接続すべき相手が接続状態を安定的に維持できないブレーカーのコード結線用ネジのネジ頭などであっても、外れることなく確実に掛止させて接続状態を安定的に維持させておくことができる接続クリップを提供することに目的がある。
【００１０】
【課題を解決するための手段】
本発明は、上記目的を達成すべくなされたものであり、先端側には開閉方向への弾性変形が自在な一対の掛止爪片を、基端側には測定器から引き出されたケーブル側と接続される端子部を備える導電性の端子用金具材と、前記基端部の側に装着される圧縮コイルスプリングを介装させた絶縁性の押動操作材とからなる接続側本体と、先端開口部と基端開口部とを有する筒状体からなり、前記基端開口部からその後端部を突出させて配置される前記押動操作材の非操作時には、前記圧縮コイルスプリングの付勢力により前記掛止爪片が自動的に前記先端開口部内に引き込まれ、前記後端部の押圧操作時には、前記付勢力に抗して前記先端開口部から前記掛止爪片が押し出されるように挿入配置される前記接続側本体を、その抜脱を困難に保持する絶縁性の保持側本体とで形成したことに特徴がある。
【００１１】
この場合、前記端子用金具材は、略方形を呈する基底部のいずれか一方の対向二辺から所定長さの一対の板バネ部を立設して先端側を各別に内折りした前記掛止爪片を有する咬持片部と、該咬持片部内に配置される固定金具部と、前記端子部を備えて前記固定金具部の底部側と前記基底部を介して一体的に連結される端子金具部とで形成し、前記押動操作材は、前記圧縮コイルスプリングの一端側が掛止される段部を基端部に設けて保持側本体の前記基端開口部側から挿入される筒状本体部と、該筒状本体部の基端側に設けられた前記基端開口部よりも大径なフランジ部とで形成し、前記保持側本体は、少なくとも前記基端開口部側にフランジ部を設けるとともに、前記掛止爪片が押し出された際に拡開方向への弾性変形を自在とする内部空間を前記先端開口部内に確保させて形成するのが好ましい。
【００１２】
また、前記咬持片部には、その基底部の残余の対向二辺から板バネ部より短寸なストッパーを立設して先端側を各別に外折りした掛止片を備えさせ、前記保持側本体は、前記押動操作材の非操作時に前記掛止片と掛合する配置関係のもとで前記内部空間内に配設された突起部を備えさせておくのが望ましい。
【００１３】
【発明の実施の形態】
図１は、本発明の一例についての分解斜視図であり、導電性の端子用金具材１３と、圧縮コイルスプリング３０が介装される絶縁性の押動操作材４３との組合せからなる接続側本体１２と、該接続側本体１２をその抜脱を困難に保持する絶縁性の保持側本体５２とで接続クリップ１１の全体が構成されている。
【００１４】
このうち、端子用金具材１３は、開閉方向への弾性変形が自在な一対の掛止爪片１８，１８を先端側に、測定器から引き出された図３に示すようなケーブル７１側と接続される端子部３７を基端側にそれぞれ備えて形成されている。
【００１５】
これを図示例に即して詳しく説明すれば、端子用金具材１３は、相手材である図６に示すようなコード結線用ネジ８４のネジ頭８５に掛止するための咬持片部１４と、止着ネジ３２が導入される固定金具部２４と、絶縁カバー７２ａと接続端子７２ｂとからなるバナナプラグ７２を備えるケーブル７１がその接続端子７２ｂを介して接続される端子金具部３４とを止着ネジ３２を介して一体的に連結することにより形成されている。
【００１６】
すなわち、咬持片部１４は、略方形を呈する基底部１５のいずれか一方の対向二辺から所定長さの一対の板バネ部１７，１７を立設して先端側を各別に内折りした掛止爪片１８，１８と、残余の対向二辺から板バネ部１７より短寸な一対のストッパー２２，２２を立設して先端側を各別に外折りした掛止突片２３，２３とを備えて形成されている。
【００１７】
この場合、一対の板バネ部１７，１７は、基底部１５と略同幅な基片部１７ａ，１７ａと、斜面部１７ｂ，１７ｂを介して基片部１７ａ，１７ａ相互の間隔よりも広幅に配置される当接片部１７ｃ，１７ｃとを備えて形成されている。
【００１８】
このような板バネ部１７の先端側に設けられている各掛止爪片１８は、図５に示すように拡開時における対向面内にコード結線用ネジ８３のネジ頭８４が導入できる自由空間２１を確保できるように、それぞれの対向縁１９を内側に湾曲させた鋸歯状湾曲縁２０として形成されている。
【００１９】
固定金具部２４は、図４に示されているように中空部２５内に導入された止着ネジ３２の雄ネジ部３２ｂの挿通を自在に形成された通孔２７を底部２６に有する有底筒状を呈し、その先端側に鉢巻き状の厚肉部２８を設けて形成されている。この場合、厚肉部２８は、掛止爪片１８，１８がその拡開時に必要以上に内方へと強制的に押し込まれて変形してしまうことがないように、内支えさせるために設けられている。
【００２０】
端子金具部３４は、図４に示されているように中空部３５を有する細径な端子部３７を基端部３６に有し、頂端面３９側からその長さ方向に止着ネジ３２の雄ネジ部３２ｂとの螺合が自在な螺孔４０を設けた大径な先端部３８と一体に形成されて筒状を呈している。
【００２１】
このため、端子用金具材１３は、固定金具部２４の通孔２７と咬持片部１４の基底部１５の通孔１６とを挿通させた止着ネジ３２の雄ネジ部３２ｂを、端子金具部３４の螺孔４０に緊締螺着させることで、固定金具部２４と咬持片部１４と端子金具部３４とが相互に一体的に連結された状態で形成されることになる。
【００２２】
押動操作材４３は、圧縮コイルスプリング３０の一端３０ａ側が掛止される段部４６を基端部４５に設けて保持側本体５２の基端開口部６０側から挿入される筒状本体部４４と、該筒状本体部４４の基端側に設けられた基端開口部６０よりも大径な外径のフランジ部４９とで形成されている。
【００２３】
一方、保持側本体５２は、抜脱困難に保持した接続側本体１２の咬持片部１４における一対の掛止爪片１８，１８の側が出没する略方形形状を呈する先端開口部５４と、接続用本体１２の押動操作材４３のフランジ部４９を含む後端部４５を突出させるための略円形を呈する基端開口部６０とを有する筒状体５３となって形成されている。
【００２４】
この場合、図２に示すように先端開口部５４側に位置する保持側本体５２の内側面５４にあって、設置された咬持片部１４の板バネ部１７と対向するやや奥まった面には、先端に乗り上げガイド用の前傾斜面５７を有する少なくとも１本以上のリブ５６がその長さ方向に各別に隆設されている。このため、板バネ部１７は、後退しながらその当接片部１７ｃが前傾斜面５７に案内されてリブ５６に乗り上げた際に内方に向かって押圧され、弾性変形されることになる。
【００２５】
また、設置された咬持片部１４のストッパー２２と対向するさらに奥まった内側面５３には、少なくとも１個以上の突起部５８が設置されており、該突起部５８にストッパー２２の掛止突片２３が掛止されることにより、基端開口部６０側からの端子側金具材１３の抜脱を阻止している。なお、図２中の符号５４ａは、押動操作時に押動操作材４３の先端側が当接する当接部を示す。
【００２６】
さらに、保持側本体５２におけるリブ５６の前方に位置する内部空間５９は、咬持片部１４が前進して当接片部１７ｃがリブ５６による押圧から解放された際に、拡開方向に十分に弾性変形できる余裕が付与されて形成されている。
【００２７】
さらにまた、保持側本体５２は、その基端開口部６０の開口端面６１側に設けられた操作時に手指を引っかけるための略方形を呈するフランジ部６２と、該フランジ部６２よりはやや中央寄りの位置に設けられた略方形を呈するガード用のフランジ部６３とを備えている。
【００２８】
しかも、保持側本体５２の基端開口部６０側の内側面５４には、図４に示すように対向する位置関係のもとで各１条のガイド溝６４がその長さ方向に基端側から適宜長さで刻入されており、押動操作部４３の段部４６の対応部位に隆設されたガイドリブ４７が導入されて、進退方向で位置規制することができるようになっている。
【００２９】
その結果、保持側本体５２は、基端開口部６０からその後端部４５を突出させて配置される押動操作材４３の非操作時には、圧縮コイルスプリング３０の他端３０ｂが保持側本体５２側に当接して生成される付勢力により図３や図４に示すように一対の掛止爪片１８，１８が自動的に先端開口部５５内に引き込まれ、後端部４５の押圧操作時には、図５に示すように付勢力に抗して先端開口部５５から一対の掛止爪片１８，１８が押し出されるように挿入配置される接続側本体１２を、その抜脱を困難に保持することができることになる。
【００３０】
次に、上記構成からなる接続クリップ１１の作用を説明すれば、押動操作材４３を押動操作しない非操作時においては、図３に示すように一対の掛止爪片１８，１８が自動的に先端開口部５５内に引き込まれた状態となっている。なお、図５においては、押動操作材４３の後端部４５側からバナナプラグ７２が差し込まれ、その接続端子７２ｂが端子金具部３４の中空部３５内に導入されて端子部３７に接続された状態が示されているが、ケーブル７１の側を端子部３７にはんだ付けするなどして直結することにより接続させることもできる。
【００３１】
また、図７に示すようにブレーカー８１の端子台８２側にコード８３を結線するために設けられているコード結線用ネジ８５に接続クリップ１１を掛止して接続させる場合には、保持側本体５２のフランジ部６２に例えば人差し指と中指とをかけて、親指で押動操作材４３のフランジ部４８側（バナナプラグ７２が差し込まれている場合にはバナナプラグ７２）を押動操作することにより、図５に示すように保持側本体５２の先端開口部５５側から咬持片部１４が備える一対の掛止爪片１８，１８を押し出すことができる。
【００３２】
このように一対の掛止爪片１８，１８が先端開口部５５が押し出された際には、板バネ部１７における当接片部１７ｃと保持側本体５２側の押圧リブ５６との当接関係が解消されることから弾性変形し、掛止爪片１８，１８相互も拡開方向に離間して図５に示すように自由空間２１が形成される。
【００３３】
かくして、掛止爪片１８，１８相互には、コード結線用ネジ８５のネジ頭８５を導入できる広さの自由空間２１が形成されるので、そのままの状態でネジ頭８５側に一対の掛止爪片１８，１８をその直面方向から送り込んだ後、押動操作材４３のフランジ部４８側に対する押圧力の付与を解除する。
【００３４】
接続側本体１２は、押圧力を解除すると同時に圧縮コイルスプリング３０の付勢力により後退し、一対の掛止爪片１８，１８も保持側本体５２の先端開口部５４内へと引き込まれる。
【００３５】
一対の掛止爪片１８，１８は、これらが先端開口部５５内に引き込まれる際に板バネ部１７における当接片部１７ｃが前傾斜面５７に案内されて押圧リブ５６に乗り上げて相互が接近方向に弾性変形し、図６に示されているようにネジ頭８５の裏側にて咬持するようにして掛止させることができる。図７は、この際における接続クリップ１１とブレーカー８１の端子台８２との間の配置関係を要部斜視図として示したものである。
【００３６】
その結果、接続クリップ１１は、接続すべき相手が接続状態を安定的に維持できないブレーカー８１のコード結線用ネジ８４のネジ頭８５であっても、外れることなく確実に掛止させて接続状態を安定的に維持させておくことができることになる。なお、接続クリップ１１の取り外しは、以上に述べた手順の逆の手順を踏むことにより容易に行うことができる。
【００３７】
以上は、本発明の実施形態を図示例に即して説明したものであり、その具体的な実施の形態例はこれに限定されるものではない。例えば、咬持片部が備える一対の掛止爪片は、その対向縁を鋸歯状湾曲縁とすることなく単なる湾曲縁とすることもできる。また、一対の掛止爪片は、押し出された拡開時にコード結線用ネジのネジ頭より狭幅の自由空間しか形成できないようにして、ネジ頭の直面方向ではなく横方向から送り込んでネジ頭の裏側に配置した上で掛止させるようにしてもよい。
【００３８】
【発明の効果】
以上述べたように本発明によれば、接続すべき相手が接続状態を安定的に維持できないブレーカーのコード結線用ネジのネジ頭などのようなものであっても、一対の掛止爪片を開閉操作することにより確実に掛止させて接続状態を安定的に維持させておくことができる。
【図面の簡単な説明】
【図１】本発明の一例を示す分解斜視図。
【図２】図１に示す例における保持側本体の先端開口部側と咬持片部との配置関係を一部を切り欠いて示す説明図。
【図３】非操作時における図１に示す例をバナナプラグ付きのケーブルと接続させた状態で示す斜視図。
【図４】図１に示す例の断面構造をバナナプラグ付きのケーブルとの関係で示す説明図。
【図５】操作時における図１に示す例の断面構造をバナナプラグ付きのケーブルと接続させた状態で示す説明図。
【図６】図１に示す例の断面構造をコード連結用ネジのネジ頭を介して掛止させた接続状態のもとで示す説明図。
【図７】図１に示す例をブレーカーの端子台側に接続させた際の相互の配置関係を示す要部斜視図。
【図８】鰐口クリップと称される接続クリップの従来例を示す全体斜視図。
【符号の説明】
１１  接続クリップ
１２  接続側本体
１３  端子用金具
１４  咬持片部
１５  基底部
１６  通孔
１７  板バネ部
１７ａ  基片部
１７ｂ  斜面部
１７ｃ  当接片部
１８  掛止爪片
１９  対向縁
２０  鋸歯状湾曲縁
２１  自由空間
２２  ストッパー
２３  掛止突片
２４  固定金具部
２５  中空部
２６  底部
２７  通孔
２８  厚肉部
３０  圧縮コイルスプリング
３０ａ  一端
３０ｂ  他端
３２  止着ネジ
３２ａ  ネジ頭
３２ｂ  雄ネジ部
３４  端子金具部
３５  中空部
３６  基端部
３７  端子部
３８  先端部
３９  頂端面
４０  螺孔
４３  押動操作材
４４  筒状本体
４５  後端部
４６  段部
４７  ガイドリブ
４８  フランジ部
５２  保持側本体
５３  筒状体
５４  内側面
５４ａ  当接部
５５  先端開口部
５６  押圧リブ
５７  前傾斜面
５８  突起部
５９  内部空間
６０  基端開口部
６１  開口端面
６２  フランジ部
６３  フランジ部
６４  ガイド溝
７１  ケーブル
７２  バナナプラグ
７２ａ  絶縁カバー
７２ｂ  接続端子
８１  ブレーカー
８２  端子台
８３  コード
８４  コード結線用ネジ
８５  ネジ頭
【図１】
2004207099.tif 000003
【図２】
2004207099.tif 000004
【図３】
2004207099.tif 000005
【図４】
2004207099.tif 000006
【図５】
2004207099.tif 000007
【図６】
2004207099.tif 000008
【図７】
2004207099.tif 000009
【図８】
2004207099.tif 000010